(57)【要約】【課題】通常のドライバーに着脱できる特殊ナット用ソケットレンチを提供する。【解決手段】ソケットレンチ１０は、マイナス溝ＳＬを先端面に設けた円柱状の特殊ナットＮをボルトＢｔに締め付け、又はボルトＢｔから弛めることができる。ソケットレンチ１０は、ソケット部１１とチャック部１２を備える。ソケット部１１は、特殊ナットＮを導入自在な凹部１１ｈを開口している。チャック部１２は、マイナスドライバー８の先端部側を導入可能な導入穴１２ｈを開口している。ソケット部１１は、マイナス溝ＳＬに嵌合できる一対の嵌合刃１１２・１１２と、ボルトＢｔの先端部を逃げる逃げ穴１１３を有する。チャック部１２は、マイナスドライバー８の刃先８１と嵌合する溝部１２ｄを導入穴１２ｈの底部に有する。マイナスドライバー８をソケットレンチ１０に連結することで、特殊ナットＮを脱落することなく、特殊ナットＮを操作できる。【選択図】図３
2019118987.tif 000002
【特許請求の範囲】
【請求項１】
マイナス溝を先端面に設けた円柱状の特殊ナットをボルトに締め付け、又はボルトから弛めることができる特殊ナット用ソケットレンチであって、
前記特殊ナットを軸方向から導入自在な凹部を一端面に開口した円筒状のソケット部と、
前記ソケット部から連続し、マイナスドライバーの先端部側を導入可能な導入穴を前記ソケット部と反対側の他端面に開口したチャック部と、備え、
前記ソケット部は、
前記凹部の底部から突出し、前記マイナス溝に嵌合できる一対の嵌合刃と、
前記凹部の底部の中心部に穿設し、ボルトの先端部を逃げる逃げ穴と、を有し、
前記チャック部は、前記導入穴の底部に形成し、マイナスドライバーの刃先と嵌合する溝部を有している、特殊ナット用ソケットレンチ。
【請求項２】
前記チャック部は、その他端面から前記導入穴の底部に至り、切り欠いた複数のスリット溝で区分した複数のチャック爪を有し、
これらのチャック爪は、前記導入穴に導入された前記マイナスドライバーの先端部側を外周方向から押圧する力を付勢している、請求項１記載の特殊ナット用ソケットレンチ。
【請求項３】
前記ソケット部の一端面から前記凹部の底面までの距離は、前記特殊ナットの全長より短くなっている、請求項１又は２記載の特殊ナット用ソケットレンチ。
【請求項４】
前記ソケット部は、複数の帯板状の磁石を外周に埋設している、請求項１から３のいずれかに記載の特殊ナット用ソケットレンチ。
【請求項５】
前記ソケット部及び前記チャック部は、絶縁性を有するチューブでそれらの外周を被覆している、請求項１から４のいずれかに記載の特殊ナット用ソケットレンチ。
【発明の詳細な説明】
【技術分野】
【０００１】
本発明は、特殊ナット用ソケットレンチに関する。特に、電力量計などを計器ボックスに取り付けるためのボルトに螺合した円柱状の特殊ナットを電力量計の前面側から締め付け、又は弛め付けでき、ドライバーに着脱自在な特殊ナット用ソケットレンチの構造に関する。
【背景技術】
【０００２】
例えば、電力量計は、計器ボックスの内部に取り付けられている。この電力量計は、上部に設けたフランジを一つの取り付けねじで計器ボックスに固定すると共に、下部に設けた板状の台座の前面に開口した一対の座ぐり穴に、計器ボックス側からボルトのねじ部を挿通し、このボルトのねじ部に円柱状の特殊ナットを前面側から締結することで、電力量計を計器ボックスに固定している。
【０００３】
前述した特殊ナットは、マイナス溝を先端部に設けている。このマイナス溝付き特殊ナットを電力量計の下部に突出したボルトに締結、又はボルトから弛めるためには、特殊ナットの中心部からボルトの先端部が突出するので、一般のマイナスドライバーを用いて、特殊ナットを操作することが困難であった。このため、特殊ナット用の専用ドライバーを用いて、特殊ナットを操作していた。
【０００４】
例えば、上述した専用ドライバーは、帯状の金属板からなり、ボルトの先端部を逃げる凹部を先端部に形成し、グリップ部を後部に備えている。この専用ドライバーの先端縁を特殊ナットのマイナス溝に嵌合し、グリップ部を把持して回転することで、ボルトの先端部を回避した状態で、特殊ナットをボルトに締結できる。
【０００５】
しかし、上記のように構成した専用ドライバーは、特殊ナットをボルトに締結する場合には、特殊ナットが脱落しないように、特殊ナットを手又は工具などで把持した状態で、特殊ナットをボルトに締結していた。又、特殊ナットをボルトから取り外す場合には、特殊ナットが脱落し易いという不具合があった。
【０００６】
このような不具合を解消するため、特殊ナットを保持するソケット部を一端部側に設けた脱落防止用の特殊ナットドライバーが開示されている（例えば、特許文献１参照）。
【先行技術文献】
【特許文献】
【０００７】
【特許文献１】発明協会公開技報公技番号２０１２−５０４４９６号
【発明の概要】
【発明が解決しようとする課題】
【０００８】
図６は、本発明に係る特殊ナットを用いた電力量計の正面図である。図７は、図６の要部を拡大した正面図である。なお、本願の図６と図７は、特許文献１の図５と図６に相当している。
【０００９】
図８は、本発明に係る特殊ナットの斜視図であり、特殊ナットをボルトに締結した状態図である。図９は、本発明に係る特殊ナットの斜視図であり、特殊ナットをボルトから取り外した状態図である。
【００１０】
図１０は、従来技術による特殊ナットドライバーの構成を示す平面図である。なお、本願の図１０は、特許文献１の図１に相当している。
【００１１】
図６を参照すると、電力量計Ｍｅは、計器ボックスＢｘの内部に取り付けられている。電力量計Ｍｅは、上部に設けたフランジ（図示せず）を一つの取り付けねじ（図示せず）で、計器ボックスＢｘに固定している。
【００１２】
又、図６又は図７を参照すると、電力量計Ｍｅは、板状の台座Ｍｂを下部に形成している。台座Ｍｂには、一対の前円後方形状の座ぐり穴Ｍｈ・Ｍｈを両端部に開口している。Ｃ形チャンネル状の支持金具Ｃｈを介して、電力量計Ｍｅの背面側からボルトＢｔを座ぐり穴Ｍｈに挿通し、ボルトＢｔの軸部に円柱状の特殊ナットＮを前面側から締結することで（図８参照）、電力量計Ｍｅを計器ボックスＢｘに固定できる。
【００１３】
図６又は図７を参照すると、支持金具Ｃｈは、その両端部を計器ボックスＢｘに固定している。又、支持金具Ｃｈは、その長手方向に沿って、長穴Ｌｈを開口している。ボルトＢｔは、その軸部が長穴Ｌｈに挿通されると共に、スライド自在に配置されている。これにより、一対の座ぐり穴Ｍｈ・Ｍｈの間隔に対応して、一対のボルトＢｔ・Ｂｔの間隔を調整できる。
【００１４】
図８又は図９を参照すると、特殊ナットＮは、マイナス溝ＳＬを先端面に設けている。又、特殊ナットＮは、雌ねじ部Ｓｆを中心部に設けている。雌ねじ部Ｓｆは、ボルトＢｔの軸部に形成した雄ねじ部Ｓｍに螺合できる。図８に示した締結状態では、特殊ナットＮは、座ぐり穴Ｍｈに埋設されている。又、特殊ナットＮの中心部からボルトＢｔの軸部が突出している。これにより、一般のマイナスドライバーを用いて、特殊ナットを操作することが困難であった。
【００１５】
以上のことから、図１０に示すような、特殊ナットドライバー（以下、ドライバーと略称する）９が考えられた。図１０を参照すると、ドライバー９は、ソケット部９１、円柱状の柄部９２、及び、グリップ部９３を備えている。ソケット部９１は、柄部９２の一端部側に設けている。グリップ部９３は、柄部９２の他端部側に設けている。
【００１６】
図８又は図１０を参照すると、ソケット部９１は、特殊ナットＮをその軸方向から導入自在な凹部９１ｈを開口している。特殊ナットＮを凹部９１ｈに導入すると、特殊ナットＮの外周に嵌合できる。又、凹部９１ｈの底面には、一対の嵌合刃９１２・９１２を凹部９１ｈの開口面に向かって突出している。更に、凹部９１ｈの底面の中心部には、ボルトＢｔの先端部を逃げる逃げ穴９１３を穿設している。
【００１７】
図８又は図９及び図１０を参照して、特殊ナットＮを凹部９１ｈに導入すると、一対の嵌合刃９１２・９１２をマイナス溝ＳＬに嵌合できる。図８に示した状態で、ソケット部９１の凹部９１ｈに特殊ナットＮを導入すると、ボルトＢｔの先端部を逃げ穴９１３で逃がすことができる。そして、グリップ部９３を把持して、ドライバー９をその軸回りに一方の方向に回転することで、特殊ナットＮを弛めることができ、特殊ナットＮを取り出すこともできる。
【００１８】
一方、図９又は図１０を参照して、特殊ナットＮをソケット部９１の凹部９１ｈに導入し、ドライバー９をその軸回りに他方の方向に回転することで、特殊ナットＮの雌ねじ部ＳｆをボルトＢｔの雄ねじ部Ｓｍに螺合でき、ボルトＢｔの先端部を回避した状態で、特殊ナットＮをボルトＢｔに締結できる。
【００１９】
特許文献１によるドライバー９は、特殊ナットＮを脱落することなく、特殊ナットＮをボルトＢｔから取り外すことができ、又は、特殊ナットＮをボルトＢｔに締結できる、としている。
【００２０】
しかし、図１０を参照すると、特許文献１によるドライバー９は、ソケット部９１、柄部９２、及び、グリップ部９３を一体で構成している。このため、電力量計などを工事するときには、長尺の特殊ナットドライバーを持参する必要がある。通常のマイナスドライバーなどの先端部にソケット部を着脱自在に構成すれば、携帯に便利であり、通常のマイナスドライバーの先端部に別の特殊工具を着脱することもできる。
【００２１】
特殊ナットドライバーをソケット部とハンドル部（柄部及びグリップ部）で一体に構成することなく、特殊ナットに嵌合するソケットとソケットを回す通常のドライバーが分離式のいわゆる、着脱式の特殊ナット用ソケットレンチが求められていた。そして、以上のことが本発明の課題といってよい。
【００２２】
本発明は、このような課題に鑑みてなされたものであり、円柱状の特殊ナットを脱落することなく、ボルトに締め付け、又はボルトから弛めることができ、通常のドライバーに着脱できる、特殊ナット用ソケットレンチを提供することを目的とする。
【課題を解決するための手段】
【００２３】
本発明者らは、特殊ナットを軸方向から導入自在な凹部を開口したソケット部を一端部側に設け、マイナスドライバーの先端部側を導入可能な導入穴を開口したチャック部を他端部側に設けて、特殊ナット用ソケットレンチを構成し、凹部の底部には、特殊ナットの先端面に設けたマイナス溝に嵌合できる一対の嵌合刃を突出し、導入穴の底部には、マイナスドライバーの刃先と嵌合する溝部を設けることで、マイナスドライバーを用いて、特殊ナットを脱落することなく、特殊ナットをボルトに締め付け、又はボルトから弛めることができると考え、これに基づいて、以下のような新たな特殊ナット用ソケットレンチを発明するに至った。
【００２４】
（１）本発明による特殊ナット用ソケットレンチは、マイナス溝を先端面に設けた円柱状の特殊ナットをボルトに締め付け、又はボルトから弛めることができる特殊ナット用ソケットレンチであって、前記特殊ナットを軸方向から導入自在な凹部を一端面に開口した円筒状のソケット部と、前記ソケット部から連続し、マイナスドライバーの先端部側を導入可能な導入穴を前記ソケット部と反対側の他端面に開口したチャック部と、備え、前記ソケット部は、前記凹部の底部から突出し、前記マイナス溝に嵌合できる一対の嵌合刃と、前記凹部の底部の中心部に穿設し、ボルトの先端部を逃げる逃げ穴と、を有し、前記チャック部は、前記導入穴の底部に形成し、マイナスドライバーの刃先と嵌合する溝部を有している。
【００２５】
（２）前記チャック部は、その他端面から前記導入穴の底部に至り、切り欠いた複数のスリット溝で区分した複数のチャック爪を有し、これらのチャック爪は、前記導入穴に導入された前記マイナスドライバーの先端部側を外周方向から押圧する力を付勢していることが好ましい。
【００２６】
（３）前記ソケット部の一端面から前記凹部の底面までの距離は、前記特殊ナットの全長より短くなっていることが好ましい。
【００２７】
（４）前記ソケット部は、複数の帯板状の磁石を外周に埋設していることが好ましい。
【００２８】
（５）前記ソケット部及び前記チャック部は、絶縁性を有するチューブでそれらの外周を被覆していることが好ましい。
【発明の効果】
【００２９】
本発明による特殊ナット用ソケットレンチは、特殊ナットを導入自在なソケット部とマイナスドライバーの先端部側を導入可能なチャック部とを備え、マイナスドライバーを特殊ナット用ソケットレンチに連結することで、特殊ナットを脱落することなく、特殊ナットをボルトに締め付け、又はボルトから弛めることができる。
【図面の簡単な説明】
【００３０】
【図１】本発明の一実施形態による特殊ナット用ソケットレンチの構成を示す斜視図であり、チャック部にマイナスドライバーの先端部を挿入した状態図である。
【図２】前記実施形態による特殊ナット用ソケットレンチの構成を示す斜視図であり、ソケット部に特殊ナットを保持した状態図である。
【図３】前記実施形態による特殊ナット用ソケットレンチの構成を示す縦断面図であり、ソケット部の内部の嵌合刃が特殊ナットのマイナス溝に嵌合した状態図である。
【図４】前記実施形態による特殊ナット用ソケットレンチの構成を示す斜視分解組立図であり、ソケット部とチャック部を一体に接合する前の状態図である。
【図５】前記実施形態による特殊ナット用ソケットレンチの構成を示す斜視分解組立図であり、ソケット部とチャック部を一体に接合する前の状態を図４と異なる方向から観ている。
【図６】本発明に係る特殊ナットを用いた電力量計の正面図である。
【図７】図６の要部を拡大した正面図である。
【図８】本発明に係る特殊ナットの斜視図であり、特殊ナットをボルトに締結した状態図である。
【図９】本発明に係る特殊ナットの斜視図であり、特殊ナットをボルトから取り外した状態図である。
【図１０】従来技術による特殊ナットドライバーの構成を示す平面図である。
【発明を実施するための形態】
【００３１】
以下、図面を参照して本発明を実施するための形態を説明する。
［特殊ナット用ソケットレンチの構成］
最初に、本発明の一実施形態による特殊ナット用ソケットレンチの構成を説明する。
【００３２】
図１は、本発明の一実施形態による特殊ナット用ソケットレンチの構成を示す斜視図であり、チャック部にマイナスドライバーの先端部を挿入した状態図である。
【００３３】
図２は、前記実施形態による特殊ナット用ソケットレンチの構成を示す斜視図であり、ソケット部に特殊ナットを保持した状態図である。図３は、前記実施形態による特殊ナット用ソケットレンチの構成を示す縦断面図であり、ソケット部の内部の嵌合刃が特殊ナットのマイナス溝に嵌合した状態図である。
【００３４】
図４は、前記実施形態による特殊ナット用ソケットレンチの構成を示す斜視分解組立図であり、ソケット部とチャック部を一体に接合する前の状態図である。図５は、前記実施形態による特殊ナット用ソケットレンチの構成を示す斜視分解組立図であり、ソケット部とチャック部を一体に接合する前の状態を図４と異なる方向から観ている。
【００３５】
なお、図６から図１０で使用した符号と同じ符号を付した構成品は、その作用を同じにするので、以下説明を省略することがある。
【００３６】
（全体構成）
図１から図５を参照すると、本発明の一実施形態による特殊ナット用ソケットレンチ（以下、ソケットレンチと略称する）１０は、円筒状のソケット部１１とチャック部１２を備えている。ソケット部１１とチャック部１２は、それらの端面同士を突き合せて溶接することが好ましく（図１参照）、ソケット部１１とチャック部１２を一体に構成できる。
【００３７】
図１から図５を参照すると、ソケット部１１は、凹部１１ｈを一端面に開口している（図４参照）。凹部１１ｈには、特殊ナットＮをその軸方向から導入できる（図３又は図４参照）。
【００３８】
図１から図５を参照すると、チャック部１２は、ソケット部１１から連続している。チャック部１２は、ソケット部１１と反対側の他端面に導入穴１２ｈを開口している（図４又は図５参照）。導入穴１２ｈには、マイナスドライバー８の先端部側を導入できる（図１又は図３参照）。
【００３９】
図３から図５を参照すると、ソケット部１１は、一対の嵌合刃１１２・１１２と逃げ穴１１３を有している。一対の嵌合刃１１２・１１２は、凹部１１ｈの底部から突出している。一対の嵌合刃１１２・１１２は、特殊ナットＮのマイナス溝ＳＬに嵌合できる。逃げ穴１１３は、凹部１１ｈの底部の中心部に穿設している。図３を参照して、特殊ナットＮを凹部１１ｈに導入すると、逃げ穴１１３は、ボルトＢｔの先端部を逃げることができる。
【００４０】
図３から図５を参照すると、チャック部１２は、方形の溝部１２ｄを有している。溝部１２ｄは、導入穴１２ｈの底部に形成している。溝部１２ｄには、マイナスドライバー８の刃先８１と嵌合できる（図３参照）。
【００４１】
図１から図５を参照すると、実施形態によるソケットレンチ１０は、特殊ナットＮを導入自在なソケット部１１とマイナスドライバー８の先端部側を導入可能なチャック部１２とを備え、マイナスドライバー８をソケットレンチ１０に連結することで、特殊ナットＮを脱落することなく、特殊ナットＮをボルトＢｔに締め付け、又はボルトＢｔから弛めることができる。
【００４２】
（ソケット部の構成）
次に、実施形態によるソケット部１１の構成を説明する。図３から図５を参照して、ソケット部１１は、鋼鉄などからなることが好ましい。凹部１１ｈ及び一対の嵌合刃１１２・１１２は、成形加工により形成できる。ソケット部１１の背面側からドリル加工により、逃げ穴１１３を形成することもできる。
【００４３】
図１又は図５を参照すると、ソケット部１１は、複数の帯板状の磁石１３を更に備えている。ソケット部１１の外周に複数の方形の溝を穿設し、これらの方形の溝に磁石１３を埋設することで、ソケット部１１を磁化できる。これにより、凹部１１ｈに保持した特殊ナットＮの脱落防止を援助できる。
【００４４】
又、図４を参照して、ソケット部１１の一端面から凹部１１ｈの底面までの距離Ｄは、特殊ナットＮの全長Ｌより短くなっていることが好ましい。これにより、図３を参照して、特殊ナットＮを凹部１１ｈに導入したときに、ソケット部１１の一端面が座ぐり穴Ｍｈの底面に当接することを防止できる。
【００４５】
（チャック部の構成）
次に、実施形態によるチャック部１２の構成を説明する。図２又は図３を参照すると、チャック部１２は、鋼鉄などからなることが好ましい。図１又は図５を参照すると、チャック部１２は、その軸中心から十文字状に切り欠いた一組のスリット溝ＳＬｈ・ＳＬｖで区分した複数のチャック爪１２ｃを有している。一組のスリット溝ＳＬｈ・ＳＬｖは、導入穴１２ｈに連通している。
【００４６】
図１又は図５を参照すると、一組のスリット溝ＳＬｈ・ＳＬｖは、チャック部１２の他端面から導入穴１２ｈの底部に至っている。一方のスリット溝ＳＬｈは、その幅が他方のスリット溝ＳＬｖの幅より広く形成している。一方のスリット溝ＳＬｈには、マイナスドライバー８の刃先８１を導入できる。なお、図示したマイナスドライバー８は、刃先８１の刃の幅がその中間部で軸部８２の直径より大きく広がっている。
【００４７】
図１又は図５を参照すると、溝部１２ｄは、一方のスリット溝ＳＬｈと略平行に配置されている。刃先８１を先頭にしてマイナスドライバー８を導入穴１２ｈに導入すると、導入穴１２ｈを拡大できる。つまり、複数のチャック爪１２ｃを外周方向に弾性変形できる。この反作用により、複数のチャック爪１２ｃは、導入穴１２ｈに導入されたマイナスドライバー８の先端部側を外周方向から押圧する力を付勢できる。このように、チャック部１２は、マイナスドライバー８の先端部側を着脱自在に連結できる。
【００４８】
図３を参照して、マイナスドライバー８の刃先８１を溝部１２ｄに嵌合し、グリップ部８３を把持して、マイナスドライバー８を軸回りに回転することで、凹部１１ｈに導入された特殊ナットＮをボルトＢｔに締め付け、又はボルトＢｔから弛めることができる。
【００４９】
図２又は図３を参照して、このように構成したソケットレンチ１０は、絶縁性を有するチューブ１４で外周を被覆している。絶縁性を有するチューブ１４で、ソケット部１１及びチャック部１２の外周を被覆することで、ソケットレンチ１０を充電部に不用意に接触しても、短絡を防止できる。
【００５０】
［特殊ナット用ソケットレンチの作用］
次に、実施形態によるソケットレンチ１０の使用方法を説明しながら、ソケットレンチ１０の作用及び効果を説明する。図１又は図５を参照して、刃先８１を先頭にしてマイナスドライバー８を導入穴１２ｈに差し込んで、マイナスドライバー８の刃先８１を溝部１２ｄに嵌合する（図３参照）。
【００５１】
図３に示した状態では、複数のチャック爪１２ｃがマイナスドライバー８の先端部側を押圧しているので、ソケットレンチ１０とマイナスドライバー８の連結状態を維持できる。次に、図１を参照して、マイナスドライバー８を連結したソケットレンチ１０を特殊ナットＮに向かって進行する。
【００５２】
次に、図３を参照して、特殊ナットＮを凹部１１ｈに導入すると、一対の嵌合刃１１２・１１２を特殊ナットＮのマイナス溝ＳＬに嵌合できる。図３に示した状態では、ボルトＢｔの先端部を逃げる逃げ穴１１３を凹部１１ｈの底部に形成しているので、ボルトＢｔを回避した状態で、一対の嵌合刃１１２・１１２をマイナス溝ＳＬに嵌合できる。
【００５３】
図３に示した状態で、グリップ部８３を把持して、マイナスドライバー８を軸回りに一方の方向に回転することで、特殊ナットＮをボルトＢｔから弛めることができる。そして、図２に示すように、特殊ナットＮをボルトＢｔから取り出すことができる。図２に示すように、特殊ナットＮは、凹部１１ｈに収容された状態で、ボルトＢｔから取り出すので、特殊ナットＮの脱落を防止できる。又、ソケット部１１の外周には、複数の磁石１３を埋設しているので（図５参照）、ソケット部１１を磁化できることで、凹部１１ｈに保持した特殊ナットＮの脱落防止を援助できる。
【００５４】
一方、特殊ナットＮをボルトＢｔに締結する場合には、特殊ナットＮを凹部１１ｈに収容する（図３参照）。次に、図１を参照して、マイナスドライバー８を連結したソケットレンチ１０をボルトＢｔに向かって進行する。次に、グリップ部８３を把持して、マイナスドライバー８を軸回りに他方の方向に回転することで、特殊ナットＮをボルトＢｔに締結できる。
【００５５】
図１から図５を参照すると、実施形態によるソケットレンチ１０は、特殊ナットＮを導入自在なソケット部１１とマイナスドライバー８の先端部側を導入可能なチャック部１２とを備え、マイナスドライバー８をソケットレンチ１０に連結することで、特殊ナットＮを脱落することなく、特殊ナットＮをボルトＢｔに締め付け、又はボルトＢｔから弛めることができる。
【００５６】
実施形態によるソケットレンチ１０は、通常のマイナスドライバーなどの先端部にソケット部を着脱でき、携帯に便利であり、通常のマイナスドライバーの先端部に別の特殊工具を着脱することもできる。
【００５７】
本発明による特殊ナット用ソケットレンチは、以下の効果が期待できる。
（１）通常のマイナスドライバーに着脱できるので、携帯に便利である。
（２）特殊ナットを導入自在な凹部をソケット部に設けることで、特殊ナットの脱落を防止できる。
（３）ボルトの先端部を逃げる逃げ穴を凹部の底部に形成することで、ボルトを回避した状態で特殊ナットを回転できる。
（４）複数の磁石をソケット部の外周に埋設しているので、凹部に保持した特殊ナットの脱落防止を援助できる。
（５）絶縁性を有するチューブで外周を被覆しているので、ソケットレンチを充電部に不用意に接触しても、短絡を防止できる。
【符号の説明】
【００５８】
８  マイナスドライバー
１０  ソケットレンチ（特殊ナット用ソケットレンチ）
１１  ソケット部
１１ｈ  凹部
１２  チャック部
１２ｄ  溝部
１２ｈ  導入穴
８１  刃先（マイナスドライバーの刃先）
１１２・１１２  一対の嵌合刃
１１３  逃げ穴
Ｂｔ  ボルト
Ｎ  特殊ナット
ＳＬ  マイナス溝
【図１】
2019118987.tif 000003
【図２】
2019118987.tif 000004
【図３】
2019118987.tif 000005
【図４】
2019118987.tif 000006
【図５】
2019118987.tif 000007
【図６】
2019118987.tif 000008
【図７】
2019118987.tif 000009
【図８】
2019118987.tif 000010
【図９】
2019118987.tif 000011
【図１０】
2019118987.tif 000012